(57)【要約】【課題】モーター及び巻取ドラムを装備した支持枠の設置現場への搬入作業を、クレーン等を使用することなく、簡単容易に行なえる昇降黒板装置を提供する。【解決手段】設置壁面Ｗに取り付けられる支持枠２に昇降枠３が昇降可能に支持され、昇降枠３に黒板１が取り付けられた昇降黒板装置であって、支持枠２には、横方向に長い回転軸４が軸受５を介して軸架されると共に、回転軸４を駆動するモーター６が設置され、回転軸４には複数の巻取ドラム７が間隔をおいて設けられ、巻取ドラム７と昇降枠３との間には、一端部が巻取ドラム７に、他端部が昇降枠３の下枠１１に夫々固定された巻取ベルト８が介装された昇降黒板装置において、支持枠２及び回転軸４は夫々複数に分割され、分割支持枠２ａ，２ｂ，２ｃの連結端部どうしが切り離し可能に連結されると共に、分割回転軸４ａ，４ｂ，４ｃの連結端部どうしが軸継手９で切り離し可能に連結される。【選択図】図１
2007050577.tif 000002
【特許請求の範囲】
【請求項１】
設置壁面に取り付けられる支持枠に昇降枠が昇降可能に支持され、この昇降枠に黒板が取り付けられてなる昇降黒板装置であって、支持枠には、横方向に長く延びる回転軸が軸受を介して軸架されると共に、回転軸を駆動するモーターが設置され、回転軸には複数の巻取ドラムが間隔をおいて設けられ、これら巻取ドラムと昇降枠との間には、一端部が巻取ドラムに、他端部が昇降枠の下枠に夫々固定された巻取ベルトが介装されてなる昇降黒板装置において、支持枠及び回転軸は夫々所要長さで複数に分割され、分割支持枠の連結端部どうしが切り離し可能に連結されると共に、分割回転軸の連結端部どうしが軸継手によって切り離し可能に連結されるようになっていることを特徴とする昇降黒板装置。
【請求項２】
分割支持枠は、上下横フレームと、上下横フレームをつなぐ複数の中間縦フレームと、上下横フレームの左右端面側に設けられた端面側縦フレームとからなるもので、分割支持枠どうしの連結にあたり、両分割支持枠の端面側縦フレームどうしがボルト接合されると共に、両分割支持枠の上横フレームの端部どうし及び下横フレームの端部どうしが連結プレートを介してボルト接合されることを特徴とするを請求項１に記載の昇降黒板装置。
【請求項３】
分割支持枠どうしの連結にあたり、両分割支持枠の端面側縦フレーム間にクッション材が介在されることを特徴とする請求項２に記載の昇降黒板装置。
【発明の詳細な説明】
【技術分野】
【０００１】
本発明は、黒板がモーターによって昇降可能な昇降黒板装置に関する。
【背景技術】
【０００２】
この種の昇降黒板装置として、設置壁面に取り付けられる支持枠に昇降枠を昇降自在に支持させ、この昇降枠に黒板を取り付けてなる昇降黒板装置であって、支持枠には、横方向に長く延びる回転軸を軸受を介して軸架すると共に、回転軸駆動用モーターを設置し、回転軸には複数の巻取ドラムを間隔をおいて設け、これら巻取ドラムと昇降枠との間に、一端部を巻取ドラムに、他端部を昇降枠の下枠に夫々固定した巻取ベルトを介装してなる昇降黒板装置が、特許文献１に記載されている。
【特許文献１】特許第３５１５９２９号公報
【発明の開示】
【発明が解決しようとする課題】
【０００３】
このような昇降黒板装置は学校で使用されるものがほとんどで、その黒板の大きさは、長さが７．２ｍ、高さが１．２ｍ程度であるから、黒板装置全体の重量は相当に重いものとなる。従って、このような昇降黒板装置は、工場において支持枠を組み立て、この支持枠に、横方向に長い長尺な回転軸を軸受を介して軸架し、またモーター及び巻取ドラムを装備した状態で現場まで搬送するようにしている一方、昇降枠及び黒板等は、夫々部品のまま設置現場へ搬送して、現組立てを行なうようにしている。これは、支持枠の組立てやモーター及び巻取ドラムの取付けは、作業が複雑で時間もかかるため現場では行い難く、昇降枠及び黒板については組付けが容易であることによるものである。
【０００４】
上記のように黒板の長さが７．２ｍｍ程度の場合、支持枠の長さが５ｍ近くになる上、この支持枠に長尺な回転軸を軸架し、モーター及び巻取ドラム等を取り付けると、その重量が相当に重くなることから、学校等の例えば２階以上の教室に搬入する場合には、廊下や階段が使用できず、例えば運動場の窓のサッシを取り外し、クレーンなどを使用して、その窓開口部より搬入するようにしている。このため、支持枠の搬入に大掛かりな作業が必要となって、施工費が非常に高くつくという問題があった。
【０００５】
本発明は、上記の課題に鑑み、モーター及び巻取ドラムを装備した支持枠の設置現場への搬入作業を、クレーンなどを使用することなく、簡単容易に行なえるようにした昇降黒板装置を提供することを目的とする。
【課題を解決するための手段】
【０００６】
上記課題を解決するための手段を、後述する実施形態の参照符号を付して説明すると、請求項１に係る発明は、設置壁面Ｗに取り付けられる支持枠２に昇降枠３が昇降可能に支持され、この昇降枠３に黒板１が取り付けられてなる昇降黒板装置であって、支持枠２には、横方向に長く延びる回転軸４が軸受５を介して軸架されると共に、回転軸４を駆動するモーター６が設置され、回転軸４には複数の巻取ドラム７が間隔をおいて設けられ、これら巻取ドラム７と昇降枠３との間には、一端部が巻取ドラム７に、他端部が昇降枠３の下枠１１に夫々固定された巻取ベルト８が介装されてなる昇降黒板装置において、支持枠２及び回転軸４は夫々所要長さで複数に分割され、分割支持枠２ａ，２ｂ，２ｃの連結端部どうしが切り離し可能に連結されると共に、分割回転軸４ａ，４ｂ，４ｃの連結端部どうしが軸継手９によって切り離し可能に連結されるようになっていることを特徴としている。
【０００７】
請求項２は、請求項１に記載の昇降黒板装置において、分割支持枠２ａ，２ｂ，２ｃは、上下横フレーム１４，１５と、上下横フレーム１４，１５をつなぐ複数の中間縦フレーム１６と、上下横フレーム１４，１５の左右端面側に設けられた端面側縦フレーム１７とからなるもので、分割支持枠２ａ，２ｂ，２ｃどうしの連結にあたり、両分割支持枠の端面側縦フレーム１７，１７どうしがボルト接合されると共に、両分割支持枠の上横フレーム１４，１４の端部どうし及び下横フレーム１５，１５の端部どうしが連結プレート２３を介してボルト接合されることを特徴とする。
【０００８】
請求項３は、請求項２に記載の昇降黒板装置において、分割支持枠２ａ，２ｂ，２ｃどうしの連結にあたり、両分割支持枠の端面側縦フレーム１７，１７間にクッション材２０が介在されることを特徴とする。
【発明の効果】
【０００９】
上記解決手段による発明の効果を、後述する実施形態の参照符号を付して説明すると、請求項１に係る発明によれば、支持枠２及び回転軸４を夫々複数に分割形成し、分割支持枠２ａ，２ｂ，２ｃの連結端部どうしを切り離し可能に連結すると共に、分割回転軸４ａ，４ｂ，４ｃの連結端部どうしを軸継手９にて切り離し可能に連結したものであるから、学校等に設置する黒板１の長さが例えば７〜８ｍ、支持枠２の長さが５〜６ｍにもなると共に、支持枠２に装備される長尺な回転軸４、モーター６、巻取ドラム７等によって支持枠２側の重量が相当重くなったとしても、昇降黒板装置に設置にあたって、支持枠２及び回転軸４を、工場等において、左側分割支持枠２ａ及び分割回転軸４ａと、中央部側分割支持枠２ｂ及び分割回転軸４ｂと、右側分割支持枠２ｃ及び分割回転軸４ｃとに分離し又は切り離した状態で、これらを現場へ搬送するようにすれば、各分割支持枠２ａ，２ｂ，２ｃの長さが短く且つ重量が比較的軽量となるため、搬送が容易となり、また学校等において、各分割支持枠２ａ，２ｂ，２ｃは廊下や階段を使用して教室の設置場所まで容易に搬入することが可能となり、従って搬入作業が簡単且つ容易に行なえて、施工費の低減化を図ることができる。
【００１０】
また、各分割支持枠２ａ，２ｂ，２ｃ及び分割回転軸４ａ，４ｂ，４ｃを現場で組み立てるには、分割支持枠２ａ，２ｂ，２ｃの連結端部どうしを連結すると共に、分割回転軸４ａ，４ｂ，４ｃの連結端部どうしを軸継手９によって連結するだけでよいから、現場での組立には熟練を要することなく、その組立作業を簡単容易に行なうことができる。
【００１１】
請求項２に係る発明のように、各分割支持枠２ａ，２ｂ，２ｃを、上下横フレーム１４，１５と、上下横フレーム１４，１５をつなぐ複数の中間縦フレーム１６と、上下横フレーム１４，１５の左右端面側に設けられた端面側縦フレーム１７とにより構成して、分割支持枠２ａ，２ｂ，２ｃどうしの連結にあたり、両分割支持枠の端面側縦フレーム１７，１７どうしをボルト接合すると共に、両分割支持枠の上横フレーム１４，１４の端部どうし及び下横フレーム１５，１５の端部どうしう連結プレート２３を介してボルト接合するようにすることにより、分割支持枠２ａ，２ｂ，２ｃどうしの連結作業を一層簡単容易に行なうことができる。
【００１２】
請求項３に係る発明のように、分割支持枠２ａ，２ｂ，２ｃどうしの連結にあたって、両分割支持枠の端面側縦フレーム１７，１７間にクッション材２０を介在させた場合は、このクッション材２０の緩衝作用により、昇降黒板装置の使用時に支持枠２を昇降させる際に、隣合う分割支持枠の端面側縦フレーム１７，１７どうしが直接接触して金属音を発したり、傷付くような不都合がなくなる。
【発明を実施するための最良の形態】
【００１３】
以下に本発明の好適な実施形態を図面に基づいて説明すると、先ず図１の(a) は本発明に係る昇降黒板装置の概略正面図、(b) は同昇降黒板装置の平面図、(c) は同昇降黒板装置の一部断面平面図であり、図２は図１の(a) のＸ−Ｘ線拡大断面図である。昇降黒板１の設置位置である設置壁面Ｗに支持枠２が取付け固定され、この支持枠２には昇降枠３が昇降可能に支持され、この昇降枠３に昇降黒板１が一体的に取り付けられる。図１の(a)
及び図２に昇降黒板１を仮想線で簡単に示している。
【００１４】
支持枠２は、例えば長さが４．７ｍ、高さが０．５５ｍの横方向に長尺な矩形状の枠体で、実際には、その長手方向に沿って所要長さずつの３つの分割支持枠２ａ、２ｂ，２ｃに分割構成され、図１の(a) において、左側の分割支持枠を２ａ、中央部側の分割支持枠を２ｂ、右側の分割支持枠を２ｃで夫々示す。これらの分割支持枠２ａ，２ｂ，２ｃは、連結端部どうしが切り離し可能に連結されている。
【００１５】
この支持枠２には、横方向に長く延びる回転軸４が軸受５を介して軸架されると共に、回転軸４を駆動するモーター６が設置され、回転軸４にはその両端部に巻取ドラム７が設けられ、これら巻取ドラム７と昇降枠３との間には、一端部が巻取ドラム７に、その他端部が昇降枠３の下枠１１に夫々固定された巻取ベルト８が介装されている。
【００１６】
回転軸４も、支持枠２と同様にその長手方向に沿って所要長さずつの３つの分割回転軸４ａ，４ｂ，４ｃに分割構成され、図１の(a) において、左側の分割回転軸を４ａ、中央部側の分割回転軸を４ｂ、右側の分割回転軸を４ｃで夫々示す。これらの分割回転軸４ａ，４ｂ，４ｃは、連結端部どうしが軸継手９によって切り離し可能に連結されている。
【００１７】
昇降枠３は、上枠１０と、下枠１１と、上下両枠１０，１１をつなぎ、支持枠２の左右両側の分割支持枠２ａ，２ｃを上下方向スライド可能に貫通するガイドロッド１２，１２と、支持枠２の左右両端に沿うような位置で上下両枠１０，１１をつなぐガイドレール１３，１３とからなるもので、詳しい図示は省略するが、この昇降枠３の上下両枠１０，１１に昇降黒板１が取り付け固定されるようになっている。
【００１８】
回転軸４を駆動するモーター６は、図１の(a) に示すように、設置壁面Ｗに固定された支持枠２における中央部側の分割支持枠２ｂに設置されていて、このモーター６の正逆回転により回転軸４を正逆回転駆動し、巻取ドラム７を介して巻取ベルト８を巻き取り又は繰り出すようになる。従って、巻取ベルト８が巻取ドラム７にて巻き取られると、支持枠２がガイドロッド１２及びガイドレール１３に沿って上昇し、また巻取ベルト８が巻取ドラム７から繰り出されると、支持枠２がガイドロッド１２及びガイドレール１３に沿って下降し、しかしてこの支持枠２の昇降に伴って昇降黒板１が昇降するようになっている。尚、図１の(a) 及び図２において、２８は昇降操作盤取付用のブラケットである。
【００１９】
次に、上記支持枠２の構造について図３〜図１１を参照しつつ更に詳細に説明すると、図３の(a) は支持枠２の全体を示す正面図、(b) は平面図であり、図４は図３の(a) のＹ−Ｙ線拡大断面図であって、図５は支持枠２及び回転軸４を、左側の分割支持枠２ａ及び分割回転軸４ａと、中央部側の分割支持枠２ｂ及び分割回転軸４ｂと、右側の分割支持枠２ｃ及び分割回転軸４ｃとに切り離した状態を示す正面図である。また図６は図５の状態の平面図である。また、図７は分割支持枠２ａ，２ｂ，２ｃどうし及び分割回転軸４ａ，４ｂ，４ｃどうしの連結部分を示す分解斜視図であり、図８は分割支持枠２ｂ，２ｃどうしの連結部分の拡大正面図、図９は同連結部分の平面図であり、図１０の(a) は分割支持枠２ｃの端部を示す拡大正面図、(b) は同端部の一部断面側面図、図１１は同端部の平面図である。
【００２０】
各分割支持枠２ａ，２ｂ，２ｃは、特に図５及び図７から分かるように、断面下向きコ字状形材からなる上横フレーム１４と、断面上向きコ字状形材からなる下横フレーム１５と、上下横フレーム１４，１５をつなぐ帯板材からなる複数の中間縦フレーム１６と、上下横フレーム１４，１５の左右端面側に設けられた断面内向きコ字状形材からなる端面側縦フレーム１７とによって矩形枠状に枠組み形成され、そして各分割支持枠２ａ，２ｂ，２ｃの背面側両端部には、当該分割支持枠２ａ，２ｂ，２ｃを設置壁面Ｗに取り付けるための取付枠１８が固着されている。左側の分割支持枠２ａ及び右側の分割支持枠２ｃには夫々の上下横フレーム１４，１５に、図４、図６及び図１１に示すように、昇降枠３のガイドロッド１２が挿通するロッド挿通孔２７が設けられ、このロッド挿通孔２７には、図示はしないが、ガイドロッド１２をスライド自在に支持するガイドブッシュが嵌装されている。
【００２１】
また図５に示すように、モーター６は３つの分割支持枠２ａ，２ｂ，２ｃのうちの中央側分割支持枠２ｂに設けられ、このモーター６によって駆動される中央側分割回転軸４ｂは、中央側分割支持枠２ｂに設けられた軸受５によって軸支されている。左右各側の分割支持枠２ａ，２ｃで軸受５によって軸支された各分割回転軸４ａ，４ｃには巻取ドラム７が設けられ、この巻取ドラム７に巻取ベルト８が巻装されている。
【００２２】
しかして、左側分割支持枠２ａ及び分割回転軸４ａと、中央部側分割支持枠２ｂ及び分割回転軸４ｂと、右側分割支持枠２ｃ及び分割回転軸４ｃとを互いに連結するには、例えば図７（左側分割支持枠２ａ及び分割回転軸４ａと中央部側の分割支持枠２ｂ及び分割回転軸４ｂとを連結する場合を示す）に示すように、分割支持枠２ａと分割支持枠２ｂとを対向端部どうし接近させ、分割支持枠２ｂの端面側縦フレーム１７の軸挿通孔１９から突出している分割回転軸４ｂの端部を、分割支持枠２ａの端面側縦フレーム１７の軸挿通孔１９からその内部に挿入すると共に、両分割支持枠２ａ，２ｂの対向する端面側縦フレーム１７，１７の間にクッション材２０を介在させる。このクッション材２０は例えば厚さが３ｍｍ程度のゴムシートからなるものである。
【００２３】
上記のように分割支持枠２ａの端面側縦フレーム１７の軸挿通孔１９からその内部に挿入した分割回転軸４ｂの端部と、分割支持枠２ａ内にある分割回転軸４ａの端部とを、この分割支持枠２ａ内において軸継手９により同軸一体に連結する。尚、この軸継手９は、周知構造の軸継手である。こうして分割支持枠２ａ側の分割回転軸４ａと分割支持枠２ｂ側の分割回転軸４ｂとを連結した後、両分割支持枠２ａ，２ｂの対向する端面側縦フレーム１７，１７とをその間にクッション材２０を介在させた状態で、座板２１，２２（図７参照）を介してボルト（図示省略）によって一体的に結合する。また、両分割支持枠２ａ，２ｂの対向する上横フレーム１４，１４どうし及び下横フレーム１５，１５どうしを、夫々連結プレート２３（図７参照）を介してボルトで結合する。
【００２４】
上記のようにして左側分割支持枠２ａ及び分割回転軸４ａと、中央部側分割支持枠２ｂ及び分割回転軸４ｂと、右側分割支持枠２ｃ及び分割回転軸４ｃとを互いに連結することによって、図３、図４、図８及び図９に示すように横方向に長尺状に延びる矩形状の支持枠２、及びこの支持枠２内に長く延びる回転軸４が形成される。こうして形成された支持枠２及びこの支持枠２内の回転軸４を分解する時は、上述した連結操作のほぼ逆の操作を行なえばよい。
【００２５】
図１２の(a) は昇降枠３のガイドレール１３及びこれに取り付けたスライダー２４を示す斜視図、(b) はスライダー２４の斜視図、(c) は図１の(a) のＺ−Ｚ線拡大断面図である。即ち、支持枠２の左右両端に、詳しくは左右両側にある分割支持枠２ａ，２ｃの夫々の外側端面には端面側縦フレーム１７の外側面の上下２箇所に、各スライダー２４が取り付けられ、各スライダー２４にはガイドローラー２５がボールベアリング２６を介して軸着されており、両スライダー２４，２４は、図１２の(a) ，(c) に示すような昇降枠３の溝形ガイドレール１３にスライド自在に係合されている。
【００２６】
従って、左右両側の分割支持枠２ａ，２ｃを上下に貫通するガイドロッド１２，１２によって昇降する昇降枠３は、この昇降枠３ガイドレール１３及びこれに取り付けたスライダー２４によって円滑に昇降することができる。
【００２７】
以上説明したように、本発明に係る昇降黒板装置は、支持枠２及び回転軸４を夫々所要長さで複数に分割形成して、分割支持枠２ａ，２ｂ，２ｃの連結端部どうしを切り離し可能に連結すると共に、分割回転軸４ａ，４ｂ，４ｃの連結端部どうしを軸継手９によって切り離し可能に連結してなるものであるから、学校等に設置する黒板１の長さが例えば７〜８ｍ、支持枠２の長さが５〜６ｍにもなると共に、支持枠２に装備される長尺な回転軸４、モーター６、巻取ドラム７等により支持枠２側の重量が相当に重くなったとしても、昇降黒板装置に設置にあたって、支持枠２及び回転軸４を、工場等において、左側分割支持枠２ａ及び分割回転軸４ａと、中央部側分割支持枠２ｂ及び分割回転軸４ｂと、右側分割支持枠２ｃ及び分割回転軸４ｃとに分離し又は切り離した状態で、これらを現場へ搬送するようにすれば、各分割支持枠２ａ，２ｂ，２ｃの長さが短く且つ重量が比較的軽量となるため、搬送が容易となり、また学校等において、各分割支持枠２ａ，２ｂ，２ｃは、廊下や階段を使用して教室の設置場所まで容易に搬入することが可能となり、従って搬入作業が簡単且つ容易に行なえて、施工費の低減化を図ることができる。
【００２８】
また、左側分割支持枠２ａ及び分割回転軸４ａと、中央部側分割支持枠２ｂ及び分割回転軸４ｂと、右側分割支持枠２ｃ及び分割回転軸４ｃとを現場で組み立てるには、分割支持枠２ａ，２ｂ，２ｃの連結端部どうしを連結すると共に、分割回転軸４ａ，４ｂ，４ｃの連結端部どうしを軸継手９によって連結するだけでよいから、現場での組立には熟練を要することなく、その組立作業を簡単容易に行なうことができる。
【００２９】
また、各分割支持枠２ａ，２ｂ，２ｃを、上下横フレーム１４，１５と、上下横フレーム１４，１５をつなぐ複数の中間縦フレーム１６と、上下横フレーム１４，１５の左右端面側に設けられた端面側縦フレーム１７とにより構成して、分割支持枠２ａ，２ｂ，２ｃどうしの連結にあたり、両分割支持枠の端面側縦フレーム１７，１７どうしをボルト接合すると共に、両分割支持枠の上横フレーム１４，１４の端部どうし及び下横フレーム１５，１５の端部どうしう連結プレート２３を介してボルト接合するようにすることにより、分割支持枠２ａ，２ｂ，２ｃどうしの連結作業を一層簡単容易に行なうことができる。
【００３０】
また、上記のように分割支持枠２ａ，２ｂ，２ｃどうしを連結するにあたって、両分割支持枠の端面側縦フレーム１７，１７間にゴムシート等のクッション材２０を介在させることによって、昇降黒板装置の使用時に支持枠２を昇降させる際に、隣合う分割支持枠の端面側縦フレーム１７，１７どうしが直接接触して金属音を発したり、傷付くような不都合がなくなる。
【００３１】
上述の実施形態では、支持枠２及び回転軸４を夫々３つに分割形成したが、これらは夫々２つに分割形成してもよいし、３つ以上に分割形成してもよい。
【００３２】
また、上述した実施形態では、昇降枠３及び昇降黒板１については詳しく説明していないが、昇降枠３は、長尺であっても、重量が比較的軽いため、分割形成することなく、例えば上下枠１０，１１は１本もので形成し、そのままで現場搬送することは容易である。また、黒板１は、一般に、金属板製の表面板と、これを取り付ける木製の取付基板とから構成されるが、表面板は比較的薄いため、ロール状に巻いた状態にすれば、現場まで容易に搬送することができ、取付基板については、比較的軽いため、その全体を一体的に形成して現場まで搬送しもよいし、あるいは工場で分割形成しておいて、現場で連結するようにしてもよい。
【図面の簡単な説明】
【００３３】
【図１】(a) は本発明に係る昇降黒板装置の概略正面図、(b) は同昇降黒板装置の平面図、(c) は同昇降黒板装置の一部断面平面図である。
【図２】図１の(a) のＸ−Ｘ線拡大断面図である。
【図３】(a) は支持枠の全体を示す正面図、(b) は平面図である。
【図４】図３の(a) のＹ−Ｙ線拡大断面図である。
【図５】支持枠及び回転軸を、左側の分割支持枠及び分割回転軸と、中央部側の分割支持枠及び分割回転軸と、右側の分割支持枠及び分割回転軸とに切り離した状態を示す正面図である。
【図６】図５の状態の平面図である。
【図７】分割支持枠どうし及び分割回転軸どうしの連結部分の分解斜視図である。
【図８】分割支持枠どうしの連結部分の拡大正面図である。
【図９】同連結部分の平面図である。
【図１０】(a) は分割支持枠の端部を示す拡大正面図、(b) は同端部の一部断面側面図である。
【図１１】同端部の平面図である。
【図１２】(a) は昇降枠のガイドレール及びこれに取り付けたスライダーを示す斜視図、(b) はスライダーの斜視図、(c) は図１の(a) のＺ−Ｚ線拡大断面図である。
【符号の説明】
【００３４】
Ｗ            設置壁面
１            黒板
２            支持枠
２ａ          分割支持枠
２ｂ          分割支持枠
２ｃ          分割支持枠
３            昇降枠
４            回転軸
４ａ          分割回転軸
４ｂ          分割回転軸
４ｃ          分割回転軸
５            軸受
６            モーター
７            巻取ドラム
８            巻取ベルト
９            軸継手
１４          分割支持枠の上横フレーム
１５          分割支持枠の下横フレーム
１６          中間縦フレーム
１７          端面側縦フレーム
２０          クッション材
２３          連結プレート
【図１】
2007050577.tif 000003
【図２】
2007050577.tif 000004
【図３】
2007050577.tif 000005
【図４】
2007050577.tif 000006
【図５】
2007050577.tif 000007
【図６】
2007050577.tif 000008
【図７】
2007050577.tif 000009
【図８】
2007050577.tif 000010
【図９】
2007050577.tif 000011
【図１０】
2007050577.tif 000012
【図１１】
2007050577.tif 000013
【図１２】
2007050577.tif 000014